(57)【要約】【課題】優先比率に対して基地局の接続端末数がどのくらいになるのかを推定することを図る。【解決手段】第１の無線周波数帯の第１の無線通信装置に接続している端末について、第１の無線通信装置に接続する端末の第１の端末数と、第２の無線周波数帯の第２の無線通信装置に接続できる端末の第２の端末数を算出する端末群算出部２１と、第１の無線周波数帯または第２の無線周波数帯の優先比率と、第２の端末数を用いて、第１の無線通信装置に接続が残る端末の第３の端末数と、第２の無線通信装置に接続が遷移する端末の第４の端末数を算出する端末遷移数算出部２２と、第１の端末数、第３の端末数および第２の無線通信装置に対して算出された第４の端末数に基づいて、第１の無線通信装置に接続する端末の推定接続数を算出する推定接続数算出部２３と、を備える。【選択図】図２
2014072743.tif 000002
【特許請求の範囲】
【請求項１】
第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出部と、
端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出部と、
前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出部と、
を備えたことを特徴とする無線接続端末数推定装置。
【請求項２】
前記端末群算出部は、各端末の、前記第１の無線通信装置および前記第２の無線通信装置のそれぞれについての受信電力情報に基づいて、前記第１の端末と前記第２の端末を判定することを特徴とする請求項１に記載の無線接続端末数推定装置。
【請求項３】
前記端末群算出部は、前記算出された推定接続数に基づいて前記第２の端末数を更新することを特徴とする請求項１又は２に記載の無線接続端末数推定装置。
【請求項４】
第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出ステップと、
端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出ステップと、
前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出ステップと、
を含むことを特徴とする無線接続端末数推定方法。
【請求項５】
第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出ステップと、
端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出ステップと、
前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出ステップと、
をコンピュータに実行させるためのコンピュータプログラム。
【発明の詳細な説明】
【技術分野】
【０００１】
本発明は、無線接続端末数推定装置、無線接続端末数推定方法およびコンピュータプログラムに関する。
【背景技術】
【０００２】
無線通信システムにおいて負荷を分散させるモビリティ負荷分散（ＭＬＢ：Mobility Load Balancing）技術の一つとして、通信待機状態の端末が通信を開始する時に複数の無線周波数帯の中からいずれの無線周波数帯を優先して利用するのかの比率を表す優先比率を設定する方法が知られている（例えば、非特許文献１、２参照）。この方法によれば、通信待機状態の端末が通信を開始する時には優先比率に応じて複数の無線周波数帯の中から利用する無線周波数帯を選択するので、優先比率を変更することによって、複数の無線周波数帯の間で利用端末数を調整することができる。優先比率は、「CellReselectionPriority」として端末に通知される。
【先行技術文献】
【非特許文献】
【０００３】
【非特許文献１】3GPP standardization, “Evolved Universal Terrestrial Radio Access (E-UTRA); User Equipment (UE) procedures in idle mode (Release 10),” 3GPP TS 36.304 V10.5.0, Mar. 2012.
【非特許文献２】3GPP standardization, “Evolved Universal Terrestrial Radio Access (E-UTRA);Radio Resource Control (RRC);Protocol specification (Release 10),” 3GPP TS 36.331 V10.6.0, Jun. 2012.
【発明の概要】
【発明が解決しようとする課題】
【０００４】
上述した従来のモビリティ負荷分散技術では、優先比率によって複数の無線周波数帯の間で利用端末数を調整することはできる。しかしながら、以下に示す課題がある。
【０００５】
ここでは、一基地局が一無線周波数帯を利用するとする。又、１．５ＧＨｚ帯を利用する基地局と８００ＭＨｚ帯を利用する基地局とが互いに重複したセルを形成していることを想定する。このとき、優先比率を１対１に設定すれば、１．５ＧＨｚ帯の基地局と８００ＭＨｚ帯の基地局にそれぞれ同数の端末が接続することが期待できる。ここで、８００ＭＨｚ帯の基地局のセルに重複するセルを形成する１．５ＧＨｚ帯の基地局が２台設置されていたとする。この場合、優先比率を１対１に設定すると、１．５ＧＨｚ帯と８００ＭＨｚ帯の各利用端末数が同数になることは期待できるが、１．５ＧＨｚ帯の利用端末数は２台の基地局に分散されるので、３台の基地局（１．５ＧＨｚ帯が２台、８００ＭＨｚ帯が１台）間では接続端末数が同数になることは期待できない。このため、優先比率によって複数の基地局の間で接続端末数を調整するために、優先比率に対して基地局の接続端末数がどのくらいになるのかを推定することが課題となっている。
【０００６】
本発明は、このような事情を考慮してなされたもので、優先比率に対して基地局の接続端末数がどのくらいになるのかを推定することができる無線接続端末数推定装置、無線接続端末数推定方法およびコンピュータプログラムを提供することを課題とする。
【課題を解決するための手段】
【０００７】
上記の課題を解決するために、本発明に係る無線接続端末数推定装置は、第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出部と、端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出部と、前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出部と、を備えたことを特徴とする。
【０００８】
本発明に係る無線接続端末数推定装置において、前記端末群算出部は、各端末の、前記第１の無線通信装置および前記第２の無線通信装置のそれぞれについての受信電力情報に基づいて、前記第１の端末と前記第２の端末を判定することを特徴とする。
【０００９】
本発明に係る無線接続端末数推定装置において、前記端末群算出部は、前記算出された推定接続数に基づいて前記第２の端末数を更新することを特徴とする。
【００１０】
本発明に係る無線接続端末数推定方法は、第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出ステップと、端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出ステップと、前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出ステップと、を含むことを特徴とする。
【００１１】
本発明に係る無線接続端末数推定方法は、第１の無線周波数帯で複数の端末と無線通信を行う第１の無線通信装置に接続している端末について、前記第１の無線通信装置に接続する端末の数（第１の端末数）と、前記第１の無線周波数帯とは異なる第２の無線周波数帯で複数の端末と無線通信を行う第２の無線通信装置に接続できる端末の数（第２の端末数）とを算出する端末群算出ステップと、端末が前記第１の無線周波数帯または前記第２の無線周波数帯のいずれの無線周波数帯を優先して無線通信装置に接続するかを表す優先比率と、前記第２の端末数とを用いて、前記第１の無線通信装置に接続が残る端末の数（第３の端末数）と、前記第１の無線通信装置から前記第２の無線通信装置に接続が遷移する端末の数（第４の端末数）とを算出する端末遷移数算出ステップと、前記第１の端末数、前記第３の端末数、及び、第４の端末数（前記第２の無線通信装置から前記第１の無線通信装置に接続が遷移する端末の数）に基づいて、前記第１の無線通信装置に接続する端末の推定接続数を算出する推定接続数算出ステップと、をコンピュータに実行させるためのコンピュータプログラムであることを特徴とする。
【発明の効果】
【００１２】
本発明によれば、優先比率に対して基地局の接続端末数がどのくらいになるのかを推定することができる。
【図面の簡単な説明】
【００１３】
【図１】本発明の一実施形態に係る無線通信システムの構成例を示す概要図である。
【図２】図１に示す無線接続端末数推定装置１の構成例を示すブロック図である。
【図３】本発明に係る無線接続端末数推定処理の実施例１のフローチャートである。
【図４】本発明に係る無線接続端末数推定方法を説明するための概念図である。
【図５】本発明に係る無線接続端末数推定方法を説明するための他の概念図である。
【図６】本発明に係る無線接続端末数推定処理の実施例２のフローチャートである。
【図７】本発明の一実施形態に係る基地局の構成例である。
【図８】本発明の他の実施形態に係る基地局の構成例である。
【発明を実施するための形態】
【００１４】
以下、図面を参照し、本発明の実施形態について説明する。
図１は、本発明の一実施形態に係る無線通信システムの構成例を示す概要図である。図１において、無線接続端末数推定装置１は、基地局管理センター５に設置されている。基地局管理センター５は、通信ネットワーク４を介して、各基地局２Ａ，２Ｂとの間でデータを送受する。基地局２Ａは、無線周波数帯として１．５ＧＨｚ帯を利用する。基地局２Ｂは、無線周波数帯として８００ＭＨｚ帯を利用する。なお、本実施形態では、説明の便宜上、無線周波数帯の例として１．５ＧＨｚ帯および８００ＭＨｚ帯を利用しているとする。
【００１５】
図１の構成例では、２台の基地局２Ａと１台の基地局２Ｂが互いに重複するセルを形成している。端末３は、無線周波数帯として１．５ＧＨｚ帯と８００ＭＨｚ帯の両方を利用可能であり、通信待機状態から通信を開始する時には、優先比率に応じて１．５ＧＨｚ帯または８００ＭＨｚ帯のいずれかを選択して利用する。優先比率は、基地局管理センター５から各基地局に対して設定され、端末３に対しては接続している基地局から設定される。
【００１６】
図２は、図１に示す無線接続端末数推定装置１の構成例を示すブロック図である。図２において、無線接続端末数推定装置１は、入力部１１と出力部１２と記憶部１３と処理部１４を有する。処理部１４は、端末群算出部２１と端末遷移数算出部２２と推定接続数算出部２３を有する。入力部１１はデータを入力する。出力部１２はデータを出力する。記憶部１３はデータを記憶する。処理部１４は無線接続端末数推定処理を行う。各部１１、１２、１３、１４はデータを送受できるように接続されている。
【００１７】
処理部１４は、ハードウェアにより実現されるものであってもよく、又は、メモリ及びＣＰＵ（中央演算処理装置）により構成され、処理部１４の機能を実現するためのプログラムをＣＰＵが実行することによりその機能を実現させるものであってもよい。処理部１４がＣＰＵから構成される場合、記憶部１３に保持されるデータはＣＰＵで実行されるプログラムを含む。
【００１８】
以下、実施例を挙げて本実施形態に係る無線接続端末数推定装置１が行う無線接続端末数推定処理を説明する。
【実施例１】
【００１９】
図３は本発明に係る無線接続端末数推定処理の実施例１のフローチャートである。図３を参照して、実施例１に係る無線接続端末数推定装置１の動作を説明する。
【００２０】
（ステップＳ１）
入力部１１は入力情報を取得する。入力情報は、受信電力情報、受信電力閾値情報および優先比率情報を有する。受信電力情報は、端末３が各基地局２Ａ、２Ｂから受信した電波の受信電力を示す情報であり、端末３ごとに、基地局ごと且つ無線周波数帯ごとに存在する。受信電力情報として、例えば、3GPP（Third Generation Partnership Project）の標準規格「Evolved Universal Terrestrial Radio Access（E-UTRA）」（非特許文献１、２参照）で規定される「Measurement report」で端末３から報告される受信電力情報（RSRP（Reference Signal Received Power）又はRSRQ（Reference Signal Received Quality））を利用することができる。
【００２１】
受信電力閾値情報は受信電力閾値を示す情報である。優先比率情報は、各基地局２Ａ、２Ｂに設定する優先比率を示す情報である。
【００２２】
（ステップＳ２）
端末群算出部２１は、受信電力情報および受信電力閾値情報を用いて端末群の判別を行い、判別した端末群ごとに端末数を算出する（端末群算出処理）。この端末群算出方法を、図４を参照して説明する。図４の例では、一基地局２Ａ（１．５ＧＨｚ帯）のセルＡと一基地局２Ｂ（８００ＭＨｚ帯）のセルＢが示されている。セルＡとセルＢは重複して形成されている。
【００２３】
基地局２Ａ（１．５ＧＨｚ帯）に接続している端末３（図４中、セルＡに在圏している端末３）は、基地局２Ａに接続する端末群ＹＡと、基地局２Ｂに接続できる端末群ＸＡＢとに分類できる。端末群ＹＡは、基地局２Ｂ（８００ＭＨｚ帯）の受信電力が受信電力閾値を下回っている端末３から構成される。また、基地局２Ａ（１．５ＧＨｚ帯）に接続している端末３の中で８００ＭＨｚ帯に対応していない端末３がある場合には、当該端末３は端末群ＹＡに含める。端末群ＹＡは、優先比率とは無関係に基地局２Ａに接続すると考えられるものである。端末群ＸＡＢは、基地局２Ｂ（８００ＭＨｚ帯）の受信電力が受信電力閾値を満たす端末３から構成される。端末群ＸＡＢは、優先比率が１．５ＧＨｚ帯よりも８００ＭＨｚ帯の方が高い場合には基地局２Ｂに接続すると考えられるものである。
【００２４】
同様に、基地局２Ｂ（８００ＭＨｚ帯）に接続している端末３（図４中、セルＢに在圏している端末３）は、基地局２Ｂに接続する端末群ＹＢと、基地局２Ａに接続できる端末群ＸＢＡとに分類できる。端末群ＹＢは、基地局２Ａ（１．５ＧＨｚ帯）の受信電力が受信電力閾値を下回っている端末３から構成される。また、基地局２Ｂ（８００ＭＨｚ帯）に接続している端末３の中で１．５ＧＨｚ帯に対応していない端末３がある場合には、当該端末３は端末群ＹＢに含める。端末群ＹＢは、優先比率とは無関係に基地局２Ｂに接続すると考えられるものである。端末群ＸＢＡは、基地局２Ａ（１．５ＧＨｚ帯）の受信電力が受信電力閾値を満たす端末３から構成される。端末群ＸＢＡは、優先比率が８００ＭＨｚ帯よりも１．５ＧＨｚ帯の方が高い場合には基地局２Ａに接続すると考えられるものである。
【００２５】
端末群算出部２１は、ある端末３について、各基地局２Ａ、２Ｂからの受信電力を受信電力閾値と比較し、この比較結果に基づいて、当該端末３が属する端末群を判別する。次いで、端末群算出部２１は、各端末群に属する端末３の数を算出する。
【００２６】
なお、端末群算出部２１は、受信電力情報の入力のタイミングごとに端末群算出処理を行ってもよく、又は、所定回数の受信電力情報の入力ごとに受信電力の統計処理を行い、該統計処理結果を用いて端末群算出処理を行ってもよい。
【００２７】
（ステップＳ３）
端末遷移数算出部２２は、各基地局の端末群情報と優先比率情報を用いて、ある基地局に接続が残る端末の数と、該基地局から他の基地局に接続が遷移する端末の数とを算出する。この端末遷移数算出方法を、図４の例を用いて説明する。図４の例において、基地局２Ａに対する優先比率ＲＡと基地局２Ｂに対する優先比率ＲＢを用いる。ここでは、優先比率ＲＡ、ＲＢは、１．５ＧＨｚ帯を選択する確率を表すとする。したがって、優先比率ＲＡが設定された端末３は、ＲＡの確率で１．５ＧＨｚ帯を選択し、（１−ＲＡ）の確率で８００ＭＨｚ帯を選択する。同様に、優先比率ＲＢが設定された端末３は、ＲＢの確率で１．５ＧＨｚ帯を選択し、（１−ＲＢ）の確率で８００ＭＨｚ帯を選択する。
【００２８】
端末遷移数算出部２２は、基地局２Ａの端末群情報と優先比率ＲＡを用いて、基地局２Ａから基地局２Ｂに接続が遷移する端末の数（遷移端末数）を次式により算出する。
基地局２Ａの遷移端末数＝「端末群ＸＡＢに属する端末の数」×（１−ＲＡ）
【００２９】
又、端末遷移数算出部２２は、基地局２Ａの端末群情報と優先比率ＲＡを用いて、基地局２Ａに接続が残る端末の数（残存端末数）を次式により算出する。
基地局２Ａの残存端末数＝「端末群ＸＡＢに属する端末の数」×ＲＡ＋「端末群ＹＡに属する端末の数」
【００３０】
又、端末遷移数算出部２２は、基地局２Ｂの端末群情報と優先比率ＲＢを用いて、基地局２Ｂから基地局２Ａに接続が遷移する端末の数（遷移端末数）を次式により算出する。
基地局２Ｂの遷移端末数＝「端末群ＸＢＡに属する端末の数」×ＲＢ
【００３１】
又、端末遷移数算出部２２は、基地局２Ｂの端末群情報と優先比率ＲＢを用いて、基地局２Ｂに接続が残る端末の数（残存端末数）を次式により算出する。
基地局２Ｂの残存端末数＝「端末群ＸＢＡに属する端末の数」×（１−ＲＢ）＋「端末群ＹＢに属する端末の数」
【００３２】
（ステップＳ４）
推定接続数算出部２３は、各基地局の遷移端末数および残存端末数を用いて、各基地局に接続する端末の推定接続数を算出する。この推定接続数算出方法を、図４の例を用いて説明する。推定接続数算出部２３は、基地局２Ａの推定接続数を次式により算出する。
基地局２Ａの推定接続数＝「基地局２Ａの残存端末数」＋「基地局２Ｂの遷移端末数」
【００３３】
又、推定接続数算出部２３は、基地局２Ｂの推定接続数を次式により算出する。
基地局２Ｂの推定接続数＝「基地局２Ｂの残存端末数」＋「基地局２Ａの遷移端末数」
【００３４】
（ステップＳ５）
出力部１２は、各基地局の推定接続数を出力する。
【００３５】
なお、無線接続端末数推定処理は、入力された全優先比率を対象にしてそれぞれ行ってもよく、又は、特に指定された優先比率のみを対象にして行ってもよい。
【００３６】
又、上述した実施例では、図４の例を用い、２つの無線周波数帯（１．５ＧＨｚ帯、８００ＭＨｚ帯）をそれぞれ利用する２つの基地局２Ａ、２Ｂを対象にしたが、３つ以上の無線周波数帯、又は、３つ以上の基地局を対象にすることも同様に可能である。
【００３７】
例えば、図５の例では、一つの基地局２Ａ（１．５ＧＨｚ帯）のセルＡと、３つの基地局２Ｂ（８００ＭＨｚ帯）のセルＢ、Ｃ、Ｄが示されている。セルＡとセルＢ、Ｃ、Ｄは重複して形成されている。基地局２Ａ（セルＡ）に接続している端末３（図示せず）は、端末群ＹＡ、ＸＡＢ、ＸＡＣ、ＸＡＤに分類できる。
【００３８】
端末群ＹＡは、基地局２Ａ（セルＡ）に接続する端末３から構成される。端末群ＹＡは、８００ＭＨｚ帯の受信電力が受信電力閾値を下回っている端末３から構成される。また、基地局２Ａに接続している端末３の中で８００ＭＨｚ帯に対応していない端末３がある場合には、当該端末３は端末群ＹＡに含める。端末群ＹＡは、優先比率とは無関係に基地局２Ａに接続すると考えられるものである。
【００３９】
端末群ＸＡＢは、基地局２Ｂ（セルＢ）及び基地局２Ｂ（セルＣ）に接続できる端末３のうち、セルＣよりもセルＢの受信電力の方が高い端末３から構成される。端末群ＸＡＢは、優先比率が１．５ＧＨｚ帯よりも８００ＭＨｚ帯の方が高い場合には基地局２Ｂ（セルＢ）に接続すると考えられるものである。
【００４０】
端末群ＸＡＣは、基地局２Ｂ（セルＢ）及び基地局２Ｂ（セルＣ）に接続できる端末３のうち、セルＢよりもセルＣの受信電力の方が高い端末３から構成される。端末群ＸＡＣは、優先比率が１．５ＧＨｚ帯よりも８００ＭＨｚ帯の方が高い場合には基地局２Ｂ（セルＣ）に接続すると考えられるものである。
【００４１】
端末群ＸＡＤは、基地局２Ｂ（セルＤ）に接続できる端末３から構成される。端末群ＸＡＤは、優先比率が１．５ＧＨｚ帯よりも８００ＭＨｚ帯の方が高い場合には基地局２Ｂ（セルＤ）に接続すると考えられるものである。
【００４２】
基地局２Ｂ（セルＢ）に接続している端末３（図示せず）は、基地局２Ｂ（セルＢ）に接続する端末群ＹＢと、基地局２Ａ（セルＡ）に接続できる端末群ＸＢＡと、に分類できる。端末群ＹＢは、基地局２Ａ（１．５ＧＨｚ帯）の受信電力が受信電力閾値を下回っている端末３から構成される。また、基地局２Ｂ（セルＢ）に接続している端末３の中で１．５ＧＨｚ帯に対応していない端末３がある場合には、当該端末３は端末群ＹＢに含める。端末群ＹＢは、優先比率とは無関係に基地局２Ｂ（セルＢ）に接続すると考えられるものである。
【００４３】
端末群ＸＢＡは基地局２Ａ（１．５ＧＨｚ帯）の受信電力が受信電力閾値を満たす端末３から構成される。端末群ＸＢＡは、優先比率が８００ＭＨｚ帯よりも１．５ＧＨｚ帯の方が高い場合には基地局２Ａに接続すると考えられるものである。
【００４４】
基地局２Ｂ（セルＣ）に接続している端末３（図示せず）は、基地局２Ｂ（セルＣ）に接続する端末群ＹＣと、基地局２Ａ（セルＡ）に接続できる端末群ＸＣＡと、に分類できる。端末群ＹＣは、基地局２Ａ（１．５ＧＨｚ帯）の受信電力が受信電力閾値を下回っている端末３から構成される。また、基地局２Ｂ（セルＣ）に接続している端末３の中で１．５ＧＨｚ帯に対応していない端末３がある場合には、当該端末３は端末群ＹＣに含める。端末群ＹＣは、優先比率とは無関係に基地局２Ｂ（セルＣ）に接続すると考えられるものである。
【００４５】
端末群ＸＣＡは基地局２Ａ（１．５ＧＨｚ帯）の受信電力が受信電力閾値を満たす端末３から構成される。端末群ＸＣＡは、優先比率が８００ＭＨｚ帯よりも１．５ＧＨｚ帯の方が高い場合には基地局２Ａに接続すると考えられるものである。
【００４６】
基地局２Ｂ（セルＤ）に接続している端末３（図示せず）は、基地局２Ｂ（セルＤ）に接続する端末群ＹＤと、セルＡの基地局２Ａに接続できる端末群ＸＤＡと、に分類できる。端末群ＹＤは、基地局２Ａ（１．５ＧＨｚ帯）の受信電力が受信電力閾値を下回っている端末３から構成される。また、基地局２Ｂ（セルＤ）に接続している端末３の中で１．５ＧＨｚ帯に対応していない端末３がある場合には、当該端末３は端末群ＹＤに含める。端末群ＹＤは、優先比率とは無関係に基地局２Ｂ（セルＤ）に接続すると考えられるものである。
【００４７】
端末群ＸＤＡは基地局２Ａ（１．５ＧＨｚ帯）の受信電力が受信電力閾値を満たす端末３から構成される。端末群ＸＤＡは、優先比率が８００ＭＨｚ帯よりも１．５ＧＨｚ帯の方が高い場合には基地局２Ａに接続すると考えられるものである。
【００４８】
そして、基地局２Ａ（セルＡ）に対する優先比率ＲＡと、基地局２Ｂ（セルＢ）に対する優先比率ＲＢと、基地局２Ｂ（セルＣ）に対する優先比率ＲＣと、基地局２Ｂ（セルＤ）に対する優先比率ＲＤと、を用いる。優先比率ＲＡ、ＲＢ、ＲＣ、ＲＤは、１．５ＧＨｚ帯を選択する確率を表すとする。これにより、各基地局２Ａ、２Ｂの推定接続数は以下の式で表される。
【００４９】
基地局２Ａ（セルＡ）の推定接続数＝「端末群ＸＡＢに属する端末と端末群ＸＡＣに属する端末と端末群ＸＡＤに属する端末の総数」×ＲＡ＋「端末群ＹＡに属する端末の数」＋「端末群ＸＢＡに属する端末の数」×ＲＢ＋「端末群ＸＣＡに属する端末の数」×ＲＣ＋「端末群ＸＤＡに属する端末の数」×ＲＤ
【００５０】
基地局２Ｂ（セルＢ）の推定接続数＝「端末群ＸＢＡに属する端末の数」×（１−ＲＢ）＋「端末群ＹＢに属する端末の数」＋「端末群ＸＡＢに属する端末の数」×（１−ＲＡ）
【００５１】
基地局２Ｂ（セルＣ）の推定接続数＝「端末群ＸＣＡに属する端末の数」×（１−ＲＣ）＋「端末群ＹＣに属する端末の数」＋「端末群ＸＡＣに属する端末の数」×（１−ＲＡ）
【００５２】
基地局２Ｂ（セルＤ）の推定接続数＝「端末群ＸＤＡに属する端末の数」×（１−ＲＤ）＋「端末群ＹＤに属する端末の数」＋「端末群ＸＡＤに属する端末の数」×（１−ＲＡ）
【実施例２】
【００５３】
図６は本発明に係る無線接続端末数推定処理の実施例２のフローチャートである。図６を参照して、実施例２に係る無線接続端末数推定装置１の動作を説明する。図６において、図３の各ステップに対応する部分には同一の符号を付している。以下、図３の実施例１と異なる点を主に説明する。
【００５４】
実施例２では、ステップＳ４で算出された推定接続数を用いて、再度、端末遷移数算出処理（ステップＳ３）及び推定接続数算出処理（ステップＳ４）を行う。この端末遷移数算出処理及び推定接続数算出処理は、ステップＳ１０で所定の終了条件を満たすまで繰り返す。終了条件としては、繰り返し回数を規定したり、又は、推定接続数の変化量が一定量未満になることを規定したり、することができる。
【００５５】
ステップＳ３ａにおいて、ステップＳ４で算出された推定接続数を用いる場合には、ある基地局の推定接続数を当該基地局に接続している端末３の総数とする。そして、その総数から、当該基地局に接続する端末群Ｙに属する端末の数を減算した差を、他の基地局に接続できる端末群Ｘに属する端末の数とする。そして、その更新の結果の「端末群Ｘに属する端末の数」に対して、実施例１と同様に、優先比率Ｒを適用する。
【００５６】
上述した実施形態によれば、優先比率に対して基地局の接続端末数がどのくらいになるのかを推定することができる。これにより、優先比率によって複数の基地局の間で接続端末数を調整することに寄与することができる。
【００５７】
以上、本発明の実施形態について図面を参照して詳述してきたが、具体的な構成はこの実施形態に限られるものではなく、本発明の要旨を逸脱しない範囲の設計変更等も含まれる。
【００５８】
例えば、上述した実施形態では、図７に示すように一基地局２Ａ、２Ｂが一無線周波数帯を利用する無線通信装置４０Ａ、４０Ｂを一つ備えることを想定したが、図８に示すように一基地局２ＡＢが一無線周波数帯を利用する無線通信装置４０Ａ、４０Ｂを複数備えるものであってもよい。図８のように一基地局２ＡＢが一無線周波数帯を利用する無線通信装置４０Ａ、４０Ｂを複数備える場合には、本発明を適用することにより、無線通信装置４０Ａ、４０Ｂごとに推定接続数を算出することができる。
【００５９】
また、図３又は図６に示す各ステップを実現するためのプログラムをコンピュータ読み取り可能な記録媒体に記録して、この記録媒体に記録されたプログラムをコンピュータシステムに読み込ませ、実行することにより、無線接続端末数推定処理を行ってもよい。なお、ここでいう「コンピュータシステム」とは、ＯＳや周辺機器等のハードウェアを含むものであってもよい。
【００６０】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６２】
１…無線接続端末数推定装置、２Ａ，２Ｂ，２ＡＢ…基地局、３…端末、１１…入力部、１２…出力部、１３…記憶部、１４…処理部、２１…端末群算出部、２２…端末遷移数算出部、２３…推定接続数算出部、４０Ａ，４０Ｂ…無線通信装置
【図１】
2014072743.tif 000003
【図２】
2014072743.tif 000004
【図３】
2014072743.tif 000005
【図４】
2014072743.tif 000006
【図５】
2014072743.tif 000007
【図６】
2014072743.tif 000008
【図７】
2014072743.tif 000009
【図８】
2014072743.tif 000010